(57)【要約】【課題】  服薬が必要なタイミング等を通知する服薬通知の設定に必要な入力作業の負担を軽減し、様々な医療機関で処方された薬を幅広く対象にして服薬アラームを設定できるようにすることにも効果的な、服薬通知の設定を支援する服薬管理支援サーバ等を提供する。【解決手段】  利用者端末等から送信された定型の調剤データを、調剤管理支援サーバで所定のデータを含む調剤管理データに変換し、変換した調剤管理データを解析して、服薬が必要なタイミング等を通知する服薬通知の設定に必要な入力項目のデフォルト値等の設定値を設定するための服薬通知設定支援データを生成する。この服薬通知設定支援データを利用者端末に送信することで、利用者端末で服薬通知を設定する際には、服用タイミングや１回あたりの服用数量などの項目に設定候補となるデフォルト値が設定され、服薬通知の設定の作業負担が軽減される。【選択図】        図１
2016224777.tif 000002
【特許請求の範囲】
【請求項１】
所定のデータ形式に基づく調剤データを受信する受信手段と、
前記調剤データから、調剤を管理する第一の調剤管理データに変換する変換手段と、
前記第一の調剤管理データに基づいて、服薬に関する情報を通知する服薬通知の設定に用いる設定値を設定するための服薬通知設定支援データを生成する生成手段と、
前記服薬通知設定支援データを、前記服薬通知が設定される端末装置に送信する送信手段と、
を備えることを特徴とする服薬管理支援サーバ。
【請求項２】
前記生成手段は、第一の調剤管理データと、前記変換手段が変換した第二の調剤管理データに基づいて、服薬通知設定支援データを生成すること
を特徴とする請求項１記載の服薬管理支援サーバ。
【請求項３】
前記第二の調剤管理データは前記変換手段が過去に変換したものであって、前記第一の調剤管理データと前記第二の調剤管理データの所定の条件が合致した場合、前記第二の調剤管理データを用いて服薬通知設定支援データを生成すること
を特徴とする請求項２記載の服薬管理支援サーバ。
【請求項４】
前記変換手段は、前記受信手段が受信した調剤データに含まれる用法名称のデータを所定のルールに基づいて服用タイミングに変換するとともに、前記受信手段が受信した調剤データに含まれる薬品情報から所定のルールに基づいて１日あたりの服用数量に変換し、
前記生成手段は、前記服用タイミング、及び前記服用タイミングと前記１日あたりの服用数量から演算される１回あたり服用数量を、前記服薬通知の設定に用いる設定値に設定するための服薬通知設定支援データを生成すること
を特徴とする請求項１乃至３いずれかに記載の服薬管理支援サーバ。
【請求項５】
前記送信手段は、前記第一の調剤管理データと前記第二の調剤管理データの所定の条件が合致しない場合、又は過去に変換された前記第二の調剤管理データを用いて生成された服薬通知設定支援データの利用をユーザが選択しない場合に、前記生成手段によって生成された、前記１回あたり服用数量を、前記服薬通知の設定に用いる設定値に設定するための服薬通知設定支援データを前記端末装置に送信すること
を特徴とする請求項４記載の服薬管理支援サーバ。
【請求項６】
服薬通知が設定される端末装置に、
ネットワークを介して接続された服薬管理支援サーバから、所定のデータ形式に基づく調剤データを変換した調剤管理データから生成された、服薬に関する情報を通知する服薬通知の設定に用いる設定値を設定するための服薬通知設定支援データを受信する受信ステップと、
前記服薬通知設定支援データを用いて生成された、前記設定値が設定された前記服薬通知の設定に必要な項目を入力するための服薬通知設定画面を出力するステップと、
前記服薬通知設定画面に入力された情報を用いて、前記服薬通知を設定するステップと、
を実行させることを特徴とする服薬管理支援プログラム。
【請求項７】
服薬通知が設定される端末装置に、
ネットワークを介して接続された服薬管理支援サーバから、所定のデータ形式に基づく調剤データを変換した調剤管理データから生成された、服薬に関する情報を通知する服薬通知の設定に用いる設定値を設定するための服薬通知設定支援データを受信する受信ステップと、
前記服薬通知設定支援データを用いて生成された、前記設定値が設定された前記服薬通知の設定に必要な項目を入力するための服薬通知設定画面を出力するステップと、
前記服薬通知設定画面に入力された情報の少なくとも一部の情報を前記服薬管理支援サーバに送信して、前記服薬管理支援サーバにおいて前記情報を用いて生成された、前記服薬通知を設定するための服薬通知設定データを受信するステップと、
前記服薬通知設定データを用いて前記服薬通知を設定するステップと、
を実行させることを特徴とする服薬管理支援プログラム。
【請求項８】
前記端末装置に、
前記服薬通知の設定に、過去の服薬通知設定に用いたデータを引き継ぐか否かの選択を受け付けるステップを実行させ、
過去の服薬通知設定に用いたデータを引き継ぐことが選択されると、前記服薬通知設定画面を出力するステップでは、前記服薬管理支援サーバにおいて、通知の対象となる調剤管理データに所定の条件が合致する過去に変換された調剤管理データから生成された服薬通知設定支援データを用いて、服薬通知設定画面を生成して出力すること
を特徴とする請求項６又は７記載の服薬管理支援プログラム。
【請求項９】
前記端末装置に、
前記服薬通知の設定に、過去の服薬通知設定に用いたデータを引き継ぐか否かの選択を受け付けるステップを実行させ、
過去の服薬通知設定に用いたデータを引き継ぐことが選択されないと、前記服薬通知設定画面を出力するステップでは、前記服薬管理支援サーバにおいて、通知の対象となる調剤管理データから生成された服薬通知設定支援データを用いて、服薬通知設定画面を生成して出力すること
を特徴とする請求項６乃至８いずれかに記載の服薬管理支援プログラム。
【請求項１０】
服薬に関する情報を通知する服薬通知が設定される端末装置とネットワークを介して接続された服薬管理支援サーバが、所定のデータ形式に基づく調剤データを受信するステップと、
前記服薬管理支援サーバが、前記調剤データを、調剤を管理する調剤管理データに変換するステップと、
前記服薬管理支援サーバが、前記調剤管理データに基づいて、前記服薬通知の設定に用いる設定値を設定するための服薬通知設定支援データを生成して、前記端末装置に送信するステップと、
前記端末装置が、前記服薬通知設定支援データを受信して、前記服薬通知設定支援データを用いて生成された、前記設定値が設定された前記服薬通知の設定に必要な項目を入力するための服薬通知設定画面を出力するステップと、
前記端末装置が、前記服薬通知設定画面に入力された情報を用いて、前記服薬通知を設定するステップと、
を有することを特徴とする服薬管理の支援方法。
【請求項１１】
服薬に関する情報を通知する服薬通知が設定される端末装置とネットワークを介して接続された服薬管理支援サーバが、所定のデータ形式に基づく調剤データを受信するステップと、
前記服薬管理支援サーバが、前記調剤データを、調剤を管理する調剤管理データに変換するステップと、
前記服薬管理支援サーバが、前記調剤管理データに基づいて、前記服薬通知の設定に用いる設定値を設定するための服薬通知設定支援データを生成して、前記端末装置に送信するステップと、
前記端末装置が、前記服薬通知設定支援データを受信して、前記服薬通知設定支援データを用いて生成された、前記設定値が設定された前記服薬通知の設定に必要な項目を入力するための服薬通知設定画面を出力するステップと、
前記端末装置が、前記服薬通知設定画面に入力された情報の少なくとも一部の情報を前記服薬管理支援サーバに送信して、前記服薬管理支援サーバにおいて前記情報を用いて生成された、前記服薬通知を設定するための服薬通知設定データを受信するステップと、
前記端末装置が、前記服薬通知設定データを用いて前記服薬通知を設定するステップと、
を有することを特徴とする服薬管理の支援方法。
【請求項１２】
前記端末装置が、前記服薬通知の設定に、過去の服薬通知設定に用いたデータを引き継ぐか否かの選択を受け付けるステップを有していて、
過去の服薬通知設定に用いたデータを引き継ぐことが選択されると、前記端末装置は、前記服薬通知設定画面を出力するステップでは、前記服薬管理支援サーバにおいて、通知の対象となる調剤管理データに所定の条件が合致する過去に変換された調剤管理データから生成された服薬通知設定支援データを用いて、服薬通知設定画面を生成して出力すること
を特徴とする請求項１０又は１１記載の服薬管理の支援方法。
【請求項１３】
前記端末装置が、前記服薬通知の設定に、過去の服薬通知設定に用いたデータを引き継ぐか否かの選択を受け付けるステップを有していて、
過去の服薬通知設定に用いたデータを引き継ぐことが選択されないと、前記端末装置は、前記服薬通知設定画面を出力するステップでは、前記服薬管理支援サーバにおいて、通知の対象となる調剤管理データから生成された服薬通知設定支援データを用いて、服薬通知設定画面を生成して出力すること
を特徴とする請求項１０乃至１２いずれかに記載の服薬管理の支援方法。
【発明の詳細な説明】
【技術分野】
【０００１】
本発明は、服薬に関する情報を通知する服薬通知の設定を支援する服薬管理支援サーバ、服薬管理支援プログラム及び服薬管理の支援方法に関するものである。
【背景技術】
【０００２】
医療機関で薬を処方された患者は、定められた用法、用量に従って、薬を服用することが求められる。ところが、患者が服薬のタイミングを常に意識しておくことができるとは限らないため、薬の飲み忘れや重ね飲みが生じてしまうことがある。
【０００３】
こうした事態を防止するために、処方された薬を服用するタイミングになると、服薬を促す通知を行う発明が開示されている（例えば、特許文献１及び２参照）。
【先行技術文献】
【特許文献】
【０００４】
【特許文献１】特開２００３−０１６１８５号公報
【特許文献２】特開２０１０−０３５８８５号公報
【発明の概要】
【発明が解決しようとする課題】
【０００５】
服薬のタイミングになるとこうした通知を行うためには、処方された薬について、服薬のタイミングや１回あたりの用量などの情報を、あらかじめ設定しておくことが必要になる。この点について、特許文献１記載の発明では、医療機関において薬の処方箋を作成する医師が、端末から処方情報をサーバに登録して、その処方情報から服薬スケジュールが生成されることとなっている（特許文献１の段落００７９、００９１等）。特許文献２記載の発明では、薬を処方する薬局の薬剤師等が入力した服薬情報と現在日時を用いて、服薬スケジュールが作成されることとなっている（特許文献２の段落００３１、００４９等）。
【０００６】
これらの文献に開示された方法では、いずれも医師や薬剤師に服薬のタイミング等を設定するために必要な情報を入力することが求められるため、医療関係者には、新たな作業負担が生じてしまうことになる。また、患者が服薬のタイミングで通知を受けることができるのは、こうした通知システムを採用して、情報の入力を行ってくれる医療機関や薬局を利用する場合に限られることになってしまう。
【０００７】
本発明は、こうした課題を解決するためになされたものであり、服薬に関する情報を通知する服薬通知の設定に必要な入力作業の負担を軽減し、かつ、様々な医療機関で処方された薬を幅広く対象にして服薬通知を設定できるようにすることに効果的な、服薬通知の設定を支援する服薬管理支援サーバ、服薬管理支援プログラム及び服薬管理の支援方法を提供することを目的とするものである。
【課題を解決するための手段】
【０００８】
本発明において、服薬に関する情報として服薬が必要なタイミング等を通知する服薬通知が設定される端末装置とネットワークを介して接続された服薬管理支援サーバは、所定のデータ形式に基づく調剤データを、調剤を管理する調剤管理データに変換、この調剤管理データに基づいて、服薬に関する情報を通知する服薬通知の設定に用いる設定値を設定するための服薬通知設定支援データを生成し、端末装置に送信する。これを受信した端末装置では、服薬通知設定支援データを用いて生成した、服薬通知の設定に必要な項目を入力するための服薬通知設定画面を出力し、この画面に入力された情報を用いて服薬通知を設定する。以上のように構成することによって、標準化されたフォーマットなどの所定のデータ形式に基づく調剤データを利用すれば、服薬通知の設定に必要な入力項目の少なくとも一部に、服薬通知設定支援データの設定値からデフォルト値を設定することが可能になるので、様々な医療機関で処方された薬の調剤データを幅広く対象に、服薬通知設定の入力作業負担の軽減が実現される。
【０００９】
本発明では、通知の対象となる調剤管理データから服薬通知設定支援データを生成することとすればよいが、調剤内容が同一であるなど所定の条件に合致する過去に変換された調剤管理データがあれば、これを用いて服薬通知設定支援データを生成すれば、効率的に服薬通知設定支援データを生成できる構成となる。また、通知の対象となる調剤管理データから服薬通知設定支援データを生成する際には、調剤データに含まれる用法名称を変換した服用タイミングと、調剤データから特定される１日あたりの服用数量を用いることによって、少なくとも服用タイミングと１回あたり服用数量をデフォルト値に設定することが可能になる。
【００１０】
以上の構成を備えることを特徴とする本発明は、服薬管理支援サーバ、服薬管理支援プログラム及び服薬管理の支援方法に関する発明として特定することができる。
【００１１】
本発明に係る服薬管理支援サーバは、所定のデータ形式に基づく調剤データを受信する受信手段と、前記調剤データから、調剤を管理する第一の調剤管理データに変換する変換手段と、前記第一の調剤管理データに基づいて、服薬に関する情報を通知する服薬通知の設定に用いる設定値を設定するための服薬通知設定支援データを生成する生成手段と、前記服薬通知設定支援データを、前記服薬通知が設定される端末装置に送信する送信手段と、を備えることを特徴とする服薬管理支援サーバである。
【００１２】
また、本発明に係る服薬管理支援サーバは、前記生成手段は、第一の調剤管理データと、前記変換手段が変換した第二の調剤管理データに基づいて、服薬通知設定支援データを生成することことを特徴としてもよい。さらに、前記第二の調剤管理データは前記変換手段が過去に変換したものであって、前記第一の調剤管理データと前記第二の調剤管理データの所定の条件が合致した場合、前記第二の調剤管理データを用いて服薬通知設定支援データを生成することを特徴としてもよい。
【００１３】
また、本発明に係る服薬管理支援サーバは、前記変換手段は、前記受信手段が受信した調剤データに含まれる用法名称のデータを所定のルールに基づいて服用タイミングに変換するとともに、前記受信手段が受信した調剤データに含まれる薬品情報から所定のルールに基づいて１日あたりの服用数量に変換し、前記生成手段は、前記服用タイミング、及び前記服用タイミングと前記１日あたりの服用数量から演算される１回あたり服用数量を、前記服薬通知の設定に用いる設定値に設定するための服薬通知設定支援データを生成することを特徴としてもよい。前記送信手段は、前記第一の調剤管理データと前記第二の調剤管理データの所定の条件が合致しない場合、又は過去に変換された前記第二の調剤管理データを用いて生成された服薬通知設定支援データの利用をユーザが選択しない場合に、前記生成手段によって生成された、前記１回あたり服用数量を、前記服薬通知の設定に用いる設定値に設定するための服薬通知設定支援データを前記端末装置に送信することを特徴とすることもできる。
【００１４】
本発明に係る服薬管理支援プログラムは、服薬通知が設定される端末装置に、ネットワークを介して接続された服薬管理支援サーバから、所定のデータ形式に基づく調剤データを変換した調剤管理データから生成された、服薬に関する情報を通知する服薬通知の設定に用いる設定値を設定するための服薬通知設定支援データを受信する受信ステップと、前記服薬通知設定支援データを用いて生成された、前記設定値が設定された前記服薬通知の設定に必要な項目を入力するための服薬通知設定画面を出力するステップと、前記服薬通知設定画面に入力された情報を用いて、前記服薬通知を設定するステップと、を実行させることを特徴とする服薬管理支援プログラムである。
【００１５】
本発明に係る服薬管理支援プログラムは、服薬通知が設定される端末装置に、ネットワークを介して接続された服薬管理支援サーバから、所定のデータ形式に基づく調剤データを変換した調剤管理データから生成された、服薬に関する情報を通知する服薬通知の設定に用いる設定値を設定するための服薬通知設定支援データを受信する受信ステップと、前記服薬通知設定支援データを用いて生成された、前記設定値が設定された前記服薬通知の設定に必要な項目を入力するための服薬通知設定画面を出力するステップと、前記服薬通知設定画面に入力された情報の少なくとも一部の情報を前記服薬管理支援サーバに送信して、前記服薬管理支援サーバにおいて前記情報を用いて生成された、前記服薬通知を設定するための服薬通知設定データを受信するステップと、前記服薬通知設定データを用いて前記服薬通知を設定するステップと、を実行させることを特徴とする服薬管理支援プログラムである。
【００１６】
また、本発明に係る服薬管理支援プログラムは、前記端末装置に、前記服薬通知の設定に、過去の服薬通知設定に用いたデータを引き継ぐか否かの選択を受け付けるステップを実行させ、過去の服薬通知設定に用いたデータを引き継ぐことが選択されると、前記服薬通知設定画面を出力するステップでは、前記服薬管理支援サーバにおいて、通知の対象となる調剤管理データに所定の条件が合致する過去に変換された調剤管理データから生成された服薬通知設定支援データを用いて、服薬通知設定画面を生成して出力することを特徴としてもよい。
【００１７】
また、本発明に係る服薬管理支援プログラムは、前記端末装置に、前記服薬通知の設定に、過去の服薬通知設定に用いたデータを引き継ぐか否かの選択を受け付けるステップを実行させ、過去の服薬通知設定に用いたデータを引き継ぐことが選択されないと、前記服薬通知設定画面を出力するステップでは、前記服薬管理支援サーバにおいて、通知の対象となる調剤管理データから生成された服薬通知設定支援データを用いて、服薬通知設定画面を生成して出力することを特徴としてもよい。
【００１８】
本発明に係る服薬管理の支援方法は、服薬に関する情報を通知する服薬通知が設定される端末装置とネットワークを介して接続された服薬管理支援サーバが、所定のデータ形式に基づく調剤データを受信するステップと、前記服薬管理支援サーバが、前記調剤データを、調剤を管理する調剤管理データに変換するステップと、前記服薬管理支援サーバが、前記調剤管理データに基づいて、前記服薬通知の設定に用いる設定値を設定するための服薬通知設定支援データを生成して、前記端末装置に送信するステップと、前記端末装置が、前記服薬通知設定支援データを受信して、前記服薬通知設定支援データを用いて生成された、前記設定値が設定された前記服薬通知の設定に必要な項目を入力するための服薬通知設定画面を出力するステップと、前記端末装置が、前記服薬通知設定画面に入力された情報を用いて、前記服薬通知を設定するステップと、を有することを特徴とする服薬管理の支援方法である。
【００１９】
本発明に係る服薬管理の支援方法は、服薬に関する情報を通知する服薬通知が設定される端末装置とネットワークを介して接続された服薬管理支援サーバが、所定のデータ形式に基づく調剤データを受信するステップと、前記服薬管理支援サーバが、前記調剤データを、調剤を管理する調剤管理データに変換するステップと、前記服薬管理支援サーバが、前記調剤管理データに基づいて、前記服薬通知の設定に用いる設定値を設定するための服薬通知設定支援データを生成して、前記端末装置に送信するステップと、前記端末装置が、前記服薬通知設定支援データを受信して、前記服薬通知設定支援データを用いて生成された、前記設定値が設定された前記服薬通知の設定に必要な項目を入力するための服薬通知設定画面を出力するステップと、前記端末装置が、前記服薬通知設定画面に入力された情報の少なくとも一部の情報を前記服薬管理支援サーバに送信して、前記服薬管理支援サーバにおいて前記情報を用いて生成された、前記服薬通知を設定するための服薬通知設定データを受信するステップと、前記端末装置が、前記服薬通知設定データを用いて前記服薬通知を設定するステップと、を有することを特徴とする服薬管理の支援方法である。
【００２０】
また、本発明に係る服薬管理の支援方法は、前記端末装置が、前記服薬通知の設定に、過去の服薬通知設定に用いたデータを引き継ぐか否かの選択を受け付けるステップを有していて、過去の服薬通知設定に用いたデータを引き継ぐことが選択されると、前記端末装置は、前記服薬通知設定画面を出力するステップでは、前記服薬管理支援サーバにおいて、通知の対象となる調剤管理データに所定の条件が合致する過去に変換された調剤管理データから生成された服薬通知設定支援データを用いて、服薬通知設定画面を生成して出力することを特徴としてもよい。
【００２１】
また、本発明に係る服薬管理の支援方法は、前記端末装置が、前記服薬通知の設定に、過去の服薬通知設定に用いたデータを引き継ぐか否かの選択を受け付けるステップを有していて、過去の服薬通知設定に用いたデータを引き継ぐことが選択されないと、前記端末装置は、前記服薬通知設定画面を出力するステップでは、前記服薬管理支援サーバにおいて、通知の対象となる調剤管理データから生成された服薬通知設定支援データを用いて、服薬通知設定画面を生成して出力することを特徴としてもよい。
【発明の効果】
【００２２】
本発明によると、服薬が必要なタイミング等を通知する服薬通知の設定に必要な入力作業の負担が軽減されるが、標準化されたフォーマットに基づく調剤データを対象にすることによって、様々な医療機関で処方された薬を幅広く対象にして、服薬通知を設定することが可能になる。服薬通知の設定は、薬の飲み忘れや重ね飲みの防止に効果的であり、こうした有効な利用方法が提供されることによって、お薬手帳の利用促進や、その電子化を推進する効果を期待することもできる。
【図面の簡単な説明】
【００２３】
【図１】本発明の実施形態の概要を示す図である。
【図２】本発明に係る服薬管理支援サーバと、本発明に係る服薬管理支援プログラムを備えた端末装置の構成を示すブロック図である。
【図３】本発明に係る服薬管理支援サーバにおいて、調剤データを自動解析するフローを示すフローチャートである。
【図４】本発明において、調剤データを調剤管理データに変換する方法を示す図である。
【図５】本発明に係る服薬管理支援サーバの設けられる用法変換例を記憶するテーブルの例を示す図である。
【図６】本発明において、過去に変換された調剤管理データを復元候補として利用する方法を示す図である。
【図７】本発明に係る服薬管理支援プログラムによって、端末装置に服薬アラームが設定されるフローを示すフローチャートである。
【図８】本発明に係る服薬管理支援プログラムによって端末装置に出力される画面の推移を示す第１の図である。
【図９】本発明において、過去に変換された調剤管理データを用いて、服薬アラーム設定画面のデフォルト値を設定する方法を示す図である。
【図１０】本発明において、服薬アラーム設定の対象となる調剤管理データを自動解析して、服薬アラーム設定画面のデフォルト値を設定する方法を示す図である。
【図１１】本発明に係る服薬管理支援プログラムによって端末装置に出力される画面の推移を示す第２の図である。
【図１２】本発明による服薬アラームの設定におけるデフォルト値の利用と、服薬アラーム設定までの流れを示す図である。
【発明を実施するための形態】
【００２４】
本発明を実施するための形態について、図面を用いて以下に詳細に説明する。尚、以下の説明は本発明の実施形態の一例を示したものであって、ここに示した服薬通知（以下では「服薬アラーム」として説明するが、本発明における服薬通知は服薬のタイミングを知らせるものであればよく、服薬を強く促す警報としての通知に限定されるものではない）設定時の入力項目やデフォルト値が設定される項目、入力画面の推移などの具体例をはじめ、本発明の実施形態は、以下に示した例に限定されるものではない。
【００２５】
図１は、以下に説明する本発明の実施形態の一例の概要を示したものである。本発明は、利用者である医療機関で薬を処方された患者が所持するスマートフォンやタブレット型コンピュータ等の利用者端末に、服薬が必要なタイミングを通知する服薬アラームを設定するものであるが、本発明に係る服薬管理支援サーバから、服薬アラームの設定時に用いられる、入力項目の設定候補となるデフォルト値等の入力画面における設定値の設定に用いられる服薬アラーム設定支援データが送信され、この服薬アラーム設定支援データを用いることで、利用者が服薬アラームを設定する際に利用者端末に表示される入力画面には、入力項目の一部に設定候補となるデフォルト値が設定値として設定されることになる。
【００２６】
ここで用いられる服薬アラーム設定支援データは、調剤薬局に設置されたパーソナルコンピュータ等のネットワーク端末や利用者端末から送信された調剤データを、服薬管理支援サーバで所定のルールに基づいて変換した調剤管理データを解析することによって生成されるものである。調剤データには、標準化されたフォーマットに基づくデータ（現在であればＪＡＨＩＳｖｅr１．１形式の調剤データ、ＪＡＨＩＳは登録商標）を用いることによって、多くの医療機関で処方された薬を服薬アラーム設定の対象にすることができるとともに、服薬管理支援サーバにおいても、所定のデータ形式に基づく調剤データを受信することを前提にして、調剤管理データへの変換機能を備えればよいことになる。
【００２７】
服薬管理支援サーバと接続されたパーソナルコンピュータ等のネットワーク端末が設置された調剤薬局Ａで調剤された薬については、調剤薬局Ａに設置されたネットワーク端末から調剤データが送信される。服薬管理支援サーバと接続されたネットワーク端末が設置されていない調剤薬局Ｂで調剤された薬については、スマートフォン等の利用者端末から調剤データが送信されることになるが、例えば、薬袋等に標準化されたフォーマットに基づく調剤データを二次元コード化して貼付しておくことによって、利用者は利用者端末のカメラで二次元コードを撮影して読み取るという簡単な操作によって、標準化されたフォーマットに基づく調剤データを利用者端末に取り込んで、服薬管理支援サーバに送信することが可能になる。
【００２８】
以上のような、利用者端末における調剤データを取り込んで送信する機能、服薬管理支援サーバから服薬アラーム設定支援データを受信して服薬アラーム設定の入力画面にデフォルト値を設定する機能は、利用者端末に備えられる専用のアプリケーションソフトによって実現される。このアプリケーションソフトには、利用者端末から実際に服薬が必要なタイミング等に薬を飲んだかどうかの服薬実績を服薬管理支援サーバに送信することによって、服薬状況や残薬調整等の管理機能を備えることとしてもよい。
【００２９】
服薬アラーム設定の入力画面を操作することによって、服薬アラームは利用者端末に設定され、服薬が必要なタイミングになると利用者端末の画面やスピーカから通知が出力されるが、その他にも服薬管理支援サーバで管理される調剤管理データ等の少なくとも一部を利用者端末でも保持して、これらのデータを随時同期させることとすれば、利用者端末がオフラインとなっている際にも、利用者端末のアプリケーションによって様々な機能を提供することが可能になる。
【００３０】
図２は、本発明に係る服薬管理支援サーバと、本発明に係る服薬管理支援プログラムを備えた端末装置の構成の一例を示している。図２の服薬管理支援サーバ１０が本発明に係る服薬管理支援サーバに対応し、利用者端末２０が本発明に係る服薬管理支援プログラムを備えた端末装置に対応する。
【００３１】
服薬管理支援サーバ１０には、インターネットに接続され、利用者端末２０等のネットワーク端末と情報の送受信が可能なサーバコンピュータが用いられる。服薬管理支援サーバ１０には、ＣＰＵ、メインメモリ、ＨＤＤ等の補助記憶装置が備えられていて、補助記憶装置に格納されたプログラムがメインメモリに読み出され、ＣＰＵで演算処理を実行することによって、所定の機能が実現される。
【００３２】
尚、服薬管理支援サーバ１０を構成するコンピュータのハードウェアの構成は特に限定されるものではなく、本発明を実施するための機能以外に、他の機能を実現するための構成が同一のコンピュータに備えられるものであってもよい。本発明に必要な各々の機能は、物理的に一台のコンピュータによって実現されるものであってもよいし、複数のコンピュータを用いて実現されるものであってもよい。
【００３３】
服薬管理支援サーバ１０のデータ登録部１１とデータ解析部１２は、いずれも機能的に特定されるものであって、補助記憶装置に格納された各々の機能に対応するプログラムがメインメモリに読み出され、ＣＰＵで演算処理を実行することによって、各々に対応する機能が実現される。
【００３４】
服薬管理支援サーバ１０の変換ルール記憶部１３と調剤管理データ記憶部１４には、服薬管理支援サーバ１０を構成するコンピュータに備えられる補助記憶装置の所定の記憶領域が割り当てられる。これらの記憶領域は物理的に一台のコンピュータに設けられることを要件とするものではなく、データベースサーバを構成するコンピュータなどを含む複数のコンピュータに設けられるものであってもよい。
【００３５】
利用者端末２０には、インターネットに接続可能で、利用者が通知を受け取りやすいスマートフォンやタブレット型コンピュータ等のネットワーク端末が用いられる。利用者端末２０には、ＣＰＵ、メインメモリ、補助記憶装置が備えられ、補助記憶装置に記憶されたプログラムをメインメモリに読み出し、ＣＰＵで演算処理を実行することによって、各々のプログラムによる所定の機能が実現される。
【００３６】
利用者端末２０の服薬情報管理部２１、コード読取部２３、通知制御部２４は、いずれも機能的に特定されるものであって、補助記憶装置に格納された各々の機能に対応するプログラムがメインメモリに読み出され、ＣＰＵで演算処理を実行することによって、各々に対応する機能が実現される。ここで服薬情報管理部２１は、本発明を実施するために利用者端末２０に備えられる専用のアプリケーションソフトに対応し、コード読取部２３と通知制御部２４は、利用者端末２０のＯＳ等に含まれる汎用的な機能に対応する。
【００３７】
利用者端末２０の調剤管理データ記憶部２２には、利用者端末２０に備えられる補助記憶装置の所定の記憶領域が割り当てられる。
【００３８】
店舗端末３０には、インターネットに接続可能なパーソナルコンピュータ等のネットワーク端末が用いられるが、服薬管理支援サーバ１０への情報の送信が可能なものであれば、その構成は特に限定されるものではない。
【００３９】
以上の構成を前提にして、図３−図６を用いて、本発明に係る服薬管理支援サーバで調剤データを自動解析するフローを、図７−図１２を用いて、本発明に係る服薬管理支援プログラムによって端末装置に服薬アラームが設定されるフローを説明する。
【００４０】
図３のフローチャートは、本発明に係る服薬管理支援サーバにおいて、調剤データを自動解析するフローを示している。利用者端末２０又は店舗端末３０から、患者である利用者に処方された薬の調剤データが送信されると、服薬管理支援サーバ１０では、データ登録部１１が起動されて、調剤データを受信する（Ｓ０１）。利用者端末２０から調剤データが送信される際には、コード読取部２３を起動して、調剤された薬袋等に表示された二次元コードを利用者端末２０のカメラで撮影して読み取ることによって、服薬情報管理部２１から調剤データが送信される。
【００４１】
尚、調剤データを受信する際には、どの利用者（患者）の調剤データであるかを識別することが必要であるが、ここで服薬管理支援サーバ１０において利用者を識別する方法は、特に限定されるものではない。例えば、利用者端末２０から服薬管理支援サーバ１０にアクセスしてサービスを提供するサイトにログインする際に、利用者がユーザＩＤ等の識別情報を入力することとしてもよいし、店舗端末３０から調剤データとともに送信された患者の氏名や生年月日をキーに、服薬管理支援サーバ１０に設けられる利用者データベース等を検索して、利用者を特定することとしてもよい。
【００４２】
受信した調剤データは標準化されたフォーマットに基づくものであるが、この調剤データを、服薬管理支援サーバ１０で管理するデータのフォーマットに基づいた調剤管理データに変換する（Ｓ０２）。調剤管理データのフォーマットには、服薬が必要なタイミングを通知する服薬アラームの設定に用いるデフォルト値の特定に用いられるデータが含まれるが、その具体例を示したのが図４である。
【００４３】
現在の標準化されたフォーマットに基づく調剤データには、図４に示したように、内服薬を例にすると、調剤日や処方医療機関、調剤薬局などの情報が含まれた１回の調剤単位の基本情報に、どのようなタイミングで薬を服用するかを示す用法名称や、何日分（頓服薬であれば何回分）の調剤かを示す調剤数量を含んだ、これらが一致する一つの薬袋を一単位とした処方情報が紐付けられ、さらにその処方情報には、薬品を識別する薬品コードや、その薬品を１日に服用する量（頓服薬であれば１回に服用する量）である用量を含んだ、薬品単位の薬品情報が紐付けられている。
【００４４】
こうした構造からなる調剤データを、図４に示したように、服薬管理支援サーバ１０で管理するデータのフォーマットに基づいた調剤管理データに変換する。調剤管理データは、標準化されたフォーマットに基づく調剤データの基本情報、処方情報及び薬品情報にそれぞれ対応する、調剤情報、ＰＲ情報及び薬品情報から構成される。
【００４５】
調剤情報は、調剤日や処方医療機関、調剤薬局などの調剤全体の情報であり、１つの調剤に対して１件のレコードが作成される。ＰＲ情報は、剤型（内服、頓服等）や用法（どのようなタイミングで服用するか）などのＰＲ（薬袋）に紐づいた情報であり、調剤内のＰＲ毎にレコードが作成される。薬品情報は、薬品の名称、薬価、単位名などの薬品個別の情報であり、ＰＲ内の薬品毎にレコードが作成される。すなわち、これらの情報は、調剤情報に対してＰＲ情報は１：ｎ、ＰＲ情報に対して薬品情報は１：ｎの関係で紐付けられる。
【００４６】
このうち、ＰＲ情報については、処方情報に含まれるどのようなタイミングで薬を服用するかを示す用法名称が非定型のテキストデータであるため、そのままのデータでは服用が必要になるタイミングを自動解析することができない。そこで、非定型のテキストで記述された用法名称については、変換ルール記憶部１３に記憶された用法変換例を参照して、服用タイミングを自動解析できるタイミングコード等のデータに変換する。
【００４７】
図５は、変換ルール記憶部１３に記憶された用法変換例のテーブルの一例を示したものであるが、用法名称に記述されやすいテキストのパターンが用法名称文字列に登録され、これをどのような服用タイミングに変換するかが定義されている。服用タイミングはそのパターンをコード化して記録しておくことが、自動解析の処理には好適である。
【００４８】
また、ＰＲ情報には、後に説明する服薬アラーム設定の入力画面にデフォルト値を設定する際に用いられる、何日分（頓服薬であれば何回分）の調剤かを示す調剤数量等の情報も含まれている。
【００４９】
薬品情報には、薬品コードをキーに服薬管理支援サーバ１０に設けられる薬品データベース等を検索し、薬品の画像ファイルのファイル名やファイルパスを付加することによって、薬品に関する情報を利用者端末２０等に表示する際に、薬品の画像をあわせて表示することが可能になる。このような薬品画像の表示は、利用者が服薬アラームを設定する際等に、誤った薬品を対象にして入力操作を行ってしまうことを防止するのに好適である。
【００５０】
また、薬品情報には、後に説明する服薬アラーム設定の入力画面にデフォルト値を設定する際に用いられる、その薬品を１日に服用する量（頓服薬であれば１回に服用する量）である用量が含まれている。薬品情報に含まれる１日分の用量を、ＰＲ情報に含まれる服用タイミングに関する情報から特定できる１日あたりの服薬の回数で除算することによって、１回あたりの服用数量を論理的に求めることが可能である。
【００５１】
以上のように変換された調剤管理データについて、データ解析部１２が起動されて、図６に示したように、同じ利用者について、過去に処方された薬の調剤データを変換した調剤管理データを対象に、過去に変換された調剤管理データが記憶された調剤管理データ記憶部１４を検索して（Ｓ０３）、ＰＲ情報とその配下にある薬品情報が完全に一致するなど、所定の条件に合致する過去に変換された調剤管理データが存在するかを確認する（Ｓ０４）。
【００５２】
一致する調剤管理データがあれば、その調剤管理データに含まれる服用タイミング等に関する情報を、服薬アラーム設定の入力画面にデフォルト値を設定する際の復元候補として利用することができるので、その際に用いることができる前回設定情報を、変換した調剤管理データに追加する（Ｓ０５）。図６に示した例では、前回設定した服用タイミングと服用数量（１回あたりの服用量）を過去に変換された調剤データから取得し、対象となる調剤管理データに追加することによって、後に説明する服薬アラーム設定の入力画面にデフォルト値を設定する処理を効率化している。
【００５３】
尚、Ｓ０４における調剤管理データが一致するかの判断は、服薬アラーム設定の入力画面にデフォルト値を設定する際の復元候補として利用するために、過去に変換された調剤管理データを選択するものであるため、個々の薬品が一致するというだけでなく、用量や飲み合わせ等に差異が生じてしまうことがないように、ＰＲ情報とその配下にある薬品情報が完全に一致することを条件にすることが好ましい。
【００５４】
以上のようにして生成された調剤管理データは、調剤管理データ記憶部１４に登録されるとともに（Ｓ０６）、利用者端末２０に送信され（Ｓ０７）、利用者端末２０では服薬情報管理部２１によって、受信したデータが調剤管理データ記憶部２２にも保存される。
【００５５】
図７のフローチャートは、本発明に係る服薬管理支援プログラムによって、端末装置に服薬アラームが設定されるフローを示している。
【００５６】
服薬管理支援サーバ１０から調剤管理データを受信した後に、利用者端末２０で本発明に係る服薬管理支援プログラムが起動されると、服薬情報管理部２１によって、服薬アラームを設定したい薬袋等を選択する画面が利用者端末２０に出力される。この画面の構成や画面が出力されるタイミングは特に限定されるものではないが、例えば、図８の画面１の例に示したように、服薬アラームが未設定の薬袋が候補として表示され、利用者はこの中から服薬アラームを設定したい薬袋を選択する操作を行うこととすればよい。
【００５７】
いずれかの薬袋が選択されたことが受け付けられると（Ｓ１１）、その薬袋に対応する調剤管理データ記憶部１４に記憶された調剤管理データに、前回設定情報が含まれているかを確認する（Ｓ１２）。前回設定情報は、先に説明したように、服薬管理支援サーバ１０において、ＰＲ情報とその配下にある薬品情報が完全に一致するなど所定の条件に合致する場合には、過去に変換された調剤管理データから取得した服用タイミングと服用数量に関する情報が調剤管理データに付加されているので、その有無を確認することとすればよい。
【００５８】
前回設定情報が含まれている場合には、利用者端末２０には、図８の画面２に例示したような、過去（前回）の服薬アラーム設定に用いたデータを引き継ぐか否かを選択する画面が出力される。過去（前回）の設定に用いたデータを引き継ぐことが選択されたかを確認し（Ｓ１３）、引き継ぐことが選択されたと確認された場合は、過去（前回）の服薬アラーム設定に用いたデータを引き継いで、服薬アラーム設定の入力画面に表示される入力項目の少なくとも一部に、設定候補となるデフォルト値が設定される（Ｓ１４）。
【００５９】
一方、前回設定情報が含まれていない場合と、過去（前回）の設定に用いたデータを引き継ぐことが選択されなかったことが確認された場合には、服薬アラーム設定の対象となる調剤管理データを解析して、服薬アラーム設定の入力画面に表示される入力項目の少なくとも一部に、設定候補となるデフォルト値が設定される（Ｓ１５）。服薬アラーム設定の対象となる調剤管理データを解析中には、図８の画面３に例示したような、解析中を示す画面が利用者端末２０に表示される。Ｓ１４、Ｓ１５のいずれかによってデフォルト値が設定されると、図８の画面４に例示したような、デフォルト値の設定が終了したことを示す画面が利用者端末２０に表示される。
【００６０】
図９は、過去に変換された調剤管理データから取得した前回設定情報を用いて、服薬アラーム設定画面のデフォルト値を設定する方法の一例を示している。先に説明したとおり、ＰＲ情報とその配下にある薬品情報が完全に一致するなど所定の条件に合致する場合には、過去に変換された調剤管理データから取得した前回設定された服用タイミングと前回設定された服用数量に関する情報が調剤管理データに付加されているので、これらとＰＲ情報に含まれる調剤数量（内服薬であれは何日分の調剤か）を用いて、服用日数、服用タイミング、（１回あたりの）服用数量を、服薬アラーム設定画面のデフォルト値に設定する。このケースでは、前回設定された服用タイミングと前回設定された服用数量に関する情報が付加された調剤管理データが、本発明の服薬アラーム設定支援データに該当することになる。
【００６１】
尚、ここで用いられる前回設定された服用数量は、薬品毎に決定されるものであるため、薬品単位の薬品情報に含めることが必要になるが、前回設定された服用タイミングについても、あわせて薬品情報に含めておくこととすればよい。これらの前回設定情報は、調剤管理データを自動解析した際に、薬品情報に設定しておくこととすればよい。
【００６２】
図１０は、服薬アラーム設定の対象となる調剤管理データを自動解析して、服薬アラーム設定画面のデフォルト値を設定する方法の一例を示している。先に説明したとおり、ＰＲ情報には自動解析できるようにコード化された服用タイミングに関する情報が含まれているので、この情報から服薬アラーム設定画面における服用タイミングのデフォルト値を設定することができる。ＰＲ情報には調剤数量（内服薬であれは何日分の調剤か）に関する情報が含まれているので、この情報から服薬アラーム設定画面における服用日数のデフォルト値を設定することができる。
【００６３】
また、ＰＲ情報に含まれる服用タイミングに関する情報から特定できる１日あたりの服用回数と、薬品情報に含まれる１日分の用量から、１回あたりの服用数量を演算することができる。このようにして演算された１回あたりの服用数量を、服薬アラーム設定画面における服用数量のデフォルト値に設定する。
【００６４】
以上に説明した、服薬アラーム設定の対象となる調剤管理データを自動解析して、服薬アラーム設定画面のデフォルト値を設定する処理は、服薬管理支援サーバ１０のデータ解析部１２、利用者端末２０の服薬情報管理部２１のいずれで実行することとしてもよいが、前者の場合は、服薬管理支援サーバ１０のデータ解析部１２で解析されて利用者端末２０に送信される調剤日数、服用タイミング、（１回あたりの）服用数量を服薬アラーム設定画面のデフォルト値に設定するためのデータが、後者の場合は、先に利用者端末２０に送信されて服薬情報管理部２１での解析に用いられる調剤管理データが、服薬アラーム設定支援データに該当することになる。
【００６５】
これらのいずれかの方法によって、服用日数、服用タイミング、（１回あたりの）服用数量には設定候補となるデフォルト値が設定された服薬アラーム設定画面が生成され、利用者端末２０に出力されて、服薬アラーム設定に必要な残りの項目の設定が要求される（Ｓ１６）。具体的には、服薬を開始する服用開始日と、毎日か、１日おきなどの定期間隔か、不定期な任意の日付かといった服用間隔の設定が、図１１の画面５−８に例示したような設定画面によって要求される。
【００６６】
残りの項目の設定が終了すると、服薬アラームの設定内容の確認が、図１１の画面９に例示したような確認画面によって促されて、設定内容が確認されると（Ｓ１７）、確認された内容に従って服薬アラームが設定される（Ｓ１８）。服薬アラームの設定は、利用者端末２０のみで実行することとしてもよいが、後に図１２を用いて説明するように、あわせて服薬状況や残薬調整などの管理を行う場合には、服薬アラームの設定に必要な情報を一旦服薬管理支援サーバ１０に送信し、これを用いて服薬管理支援サーバ１０で生成された服薬アラームを設定するための服薬アラーム設定データを受信して、服薬アラームを設定する構成としてもよい。
【００６７】
確認が促された設定内容については、デフォルト値が設定された入力項目も含めて修正が可能であり、いずれかの入力項目の修正が行われた場合には、修正された服薬アラームの設定内容の確認が、修正を反映した確認画面によって改めて促されることになる。こうした残りの項目の入力や、設定された情報を修正する処理は、利用者端末２０の服薬情報管理部２１で実行されるが、その一部については、服薬管理支援サーバ１０と交信して実行することとしてもよい。
【００６８】
尚、ここでは服薬アラーム設定画面の入力項目のうち、服用開始日と服用間隔についてはデフォルト値が設定されず、手動入力が促されることとして説明しているが、これらの項目についても標準化されたフォーマットに基づく調剤データに含まれる、あるいは調剤データに含まれる情報から特定できることになれば、デフォルト値の設定対象に加えることが可能になる。
【００６９】
図１２は、本発明による服薬アラームの設定におけるデフォルト値の利用と、服薬アラーム設定までの流れを示したものである。服薬アラームの設定に必要な項目のうち、服用日数、服用タイミング、（１回あたりの）服用数量には、図９に示した前回設定情報を引き継ぐ場合、図１０に示した対象データを解析する場合のいずれにおいても、設定候補となるデフォルト値が設定され、残りの項目である服用開始日と服用間隔について、利用者に手動入力が要求されることになる。
【００７０】
このようにして設定された情報は、利用者によって確認されると、服薬管理支援サーバ１０に送信されて、調剤管理データの一部となる服薬管理情報として、調剤管理データ記憶部１４に保存される。こうした情報を調剤管理データ記憶部１４で保持しておけば、利用者が実際に薬を服用したかどうかの実績情報を服薬管理支援サーバ１０に送信することによって、服薬管理支援サーバ１０で服薬状況を把握して、残薬調整などの管理を行うことも可能になる。
【００７１】
また、設定された情報は、服薬管理支援サーバ１０か、あるいは利用者端末２０で、対象となる薬を何月何日のどのタイミングで何錠服用するかといったアラームの出力に必要な情報に展開されて、利用者端末２０の通知制御部２４に引き渡される（服薬管理支援サーバ１０で展開された場合には、服薬アラーム設定データとして利用者端末２０に送信される）。一般に、スマートフォンやタブレット型コンピュータには、所定のタイミングになると画面やスピーカから通知を出力するリマインダー通知の機能を備えているので、この機能を利用して、服薬アラームの通知を出力する設定を行うこととすればよい。
【００７２】
尚、設定された情報をアラームの出力に必要な情報に展開する際には、服用開始日以降で最初に訪れる服用タイミングを起点として（服用開始日に当日を指定した場合は、現時刻の直後の服用タイミングが起点となる）、服用日数分の服用タイミングに服薬アラームを設定することとすればよい。
【符号の説明】
【００７３】
１０  服薬管理支援サーバ
１１  データ登録部
１２  データ解析部
１３  変換ルール記憶部
１４  調剤管理データ記憶部
２０  利用者端末
２１  服薬情報管理部
２２  調剤管理データ記憶部
２３  コード読取部
２４  通知制御部
３０  店舗端末
【図１】
2016224777.tif 000003
【図２】
2016224777.tif 000004
【図３】
2016224777.tif 000005
【図４】
2016224777.tif 000006
【図５】
2016224777.tif 000007
【図６】
2016224777.tif 000008
【図７】
2016224777.tif 000009
【図８】
2016224777.tif 000010
【図９】
2016224777.tif 000011
【図１０】
2016224777.tif 000012
【図１１】
2016224777.tif 000013
【図１２】
2016224777.tif 000014